(57)【要約】【課題】スラブ側への施工を不要としながらも、排水管の高さ位置の調整可能寸法を効率的に大きくし得る排水管支持具を提供する。【解決手段】床下空間３に設置される排水管６を支持する排水管支持具１であって、床下地４に取り付けられる取付部１０と、この取付部から下方側に向けて延びる吊下部２１と、この吊下部の下端部から該吊下部の延びる方向に対して略直交する方向に突出し、前記排水管を支持する支持部３０と、を備えている。【選択図】図１
2019065514.tif 000002
【特許請求の範囲】
【請求項１】
床下空間に設置される排水管を支持する排水管支持具であって、
床下地に取り付けられる取付部と、この取付部から下方側に向けて延びる吊下部と、この吊下部の下端部から該吊下部の延びる方向に対して略直交する方向に突出し、前記排水管を支持する支持部と、を備えていることを特徴とする排水管支持具。
【請求項２】
請求項１において、
前記吊下部は、前記取付部に対する前記支持部の高さ位置の調整が可能な構造とされていることを特徴とする排水管支持具。
【請求項３】
請求項２において、
前記吊下部は、前記取付部側に設けられた吊下本体と、該吊下本体に対して段毎の調整寸法が均等とされた複数段の位置において保持され、前記支持部側に設けられた可変体と、を備えていることを特徴とする排水管支持具。
【請求項４】
請求項３において、
前記吊下本体及び前記可変体のうちの一方は、筒状体とされ、他方は、この筒状体内に差し入れられる棒状体とされており、
前記筒状体には、側面において開口する複数の係止孔が上下方向に等間隔を空けて設けられ、前記棒状体には、前記係止孔に対して脱離可能に係止する係止突起が設けられていることを特徴とする排水管支持具。
【請求項５】
請求項１乃至４のいずれか１項において、
前記取付部は、前記床下地を表裏両側から挟むように配される一対の挟持片と、これら一対の挟持片を連結する連結片と、を備えていることを特徴とする排水管支持具。
【請求項６】
請求項５において、
前記取付部には、前記一対の挟持片のうちの下方側に配される挟持片の下方側において前記吊下部の延びる方向に対して略直交する方向に向けて開口する差込凹所が設けられ、前記吊下部の上端部には、前記差込凹所に差し入れられる差込片部が設けられていることを特徴とする排水管支持具。
【発明の詳細な説明】
【技術分野】
【０００１】
本発明は、床下空間に設置される排水管を支持する排水管支持具に関する。
【背景技術】
【０００２】
従来より、床下空間に排水管を設置する構造としては、スラブに打ち込んだアンカーに支持部を取り付け、この支持部に排水管を支持させる構造が知られている。このような設置構造では、スラブにアンカーを打ち込む必要があるため、騒音が生じたり、集合住宅では管理組合の承認を得る必要が生じたりするという問題があった。
例えば、下記特許文献１には、排水設備の排水口に接続される排水枝管を、床の下面に取り付けられた吊り下げ金物によって吊り下げる構成とした排水管設備が開示されている。
【先行技術文献】
【特許文献】
【０００３】
【特許文献１】特開２００３−１２９５３９号公報
【発明の概要】
【発明が解決しようとする課題】
【０００４】
しかしながら、上記特許文献１に記載された吊り下げ金物は、床の下面に取り付けられる取付部に設けられたネジポストの下端に、排水枝管を挟持する管クランプを設けた構成とされている。そのため、水勾配を設ける場合に、床下面から排水管上面までの間に配置される部材によって床下面に対する管クランプの高さ位置を調整する必要があり、床下空間における調整可能な寸法が小さくなるという問題があった。つまり、床下面と排水管との間に取付部やネジポストを設ける必要があるため、排水管の上流側の部位を床下面から比較的に離間させる必要があった。
【０００５】
本発明は、上記実情に鑑みてなされたものであり、スラブ側への施工を不要としながらも、排水管の高さ位置の調整可能寸法を効率的に大きくし得る排水管支持具を提供することを目的としている。
【課題を解決するための手段】
【０００６】
上記目的を達成するために、本発明に係る排水管支持具は、床下空間に設置される排水管を支持する排水管支持具であって、床下地に取り付けられる取付部と、この取付部から下方側に向けて延びる吊下部と、この吊下部の下端部から該吊下部の延びる方向に対して略直交する方向に突出し、前記排水管を支持する支持部と、を備えていることを特徴とする。
【発明の効果】
【０００７】
本発明に係る排水管支持具は、上述のような構成としたことで、スラブ側への施工を不要としながらも、排水管の高さ位置の調整可能寸法を効率的に大きくすることができる。
【図面の簡単な説明】
【０００８】
【図１】（ａ）、（ｂ）は、本発明の一実施形態に係る排水管支持具の一例及びこれを用いた排水管支持構造の一例を模式的に示し、（ａ）は、一部破断概略正面図、（ｂ）は、概略側面図である。
【図２】（ａ）〜（ｃ）は、同排水管支持具の一部省略概略斜視図である。
【図３】（ａ）、（ｂ）は、同排水管支持構造の施工手順の一例を模式的に示す概略斜視図である。
【図４】（ａ）、（ｂ）は、同排水管支持構造の施工手順の一例を模式的に示す概略斜視図である。
【図５】（ａ）は、同排水管支持構造の施工手順の一例を模式的に示す一部破断概略斜視図、（ｂ）は、同排水管支持構造の一部破断概略斜視図である。
【図６】同排水管支持構造の概略側面図である。
【図７】本発明の他の実施形態に係る排水管支持具の一例を模式的に示す一部省略概略斜視図である。
【発明を実施するための形態】
【０００９】
以下に本発明の実施の形態について、図面に基づいて説明する。
なお、一部の図では、他図に付している詳細な符号の一部を省略している。
また、以下の各実施形態では、各実施形態に係る排水管支持具が設置された状態を基準として上下方向等の方向を説明する。
【００１０】
図１〜図６は、第１実施形態に係る排水管支持具及びこれを用いた排水管支持構造の一例を模式的に示す図である。
本実施形態に係る排水管支持具１は、図１及び図６に示すように、床下空間３に設置される排水管６を支持する構成とされ、床下地を構成する床支持材４に取り付けられる取付部１０を備えている。この排水管支持具１を用いた排水管支持構造は、スラブ２上に床支持材４を介して配される複数の床パネル９の下方側空間としての床下空間３に設置される排水管６を支持する構造とされている。この排水管支持構造は、床支持材４に排水管６を吊下支持する排水管支持具１を取り付けた構造とされている。このような構成とすれば、スラブ２にアンカーを打ち込んだりする必要がなく、騒音の発生等を抑制することができる。また、水勾配をスラブ２基準ではなく床支持材４基準で設けることができ、スラブ２に不陸があるような場合にも、容易に対応することができる。
【００１１】
スラブ２は、上階と下階との間や地盤上に設けられた基礎スラブや床スラブ等のコンクリートスラブでもよい。
床パネル９は、図４に示すように、平面視して略方形状の平板状とされている。図例では、床パネル９を、平面視して略正方形状とした例を示している。この床パネル９は、表面が化粧面とされた床仕上材でもよいが、本実施形態では、床支持材４とによって床下地を構成する下地パネルとされている。
【００１２】
床支持材４は、床パネル９の少なくとも２辺に沿って配設されて床パネル９を着脱自在に支持するパネル支持部４０と、パネル支持部４０をスラブ２上に支持する支柱部４７と、を備えている。このような構成とすれば、床支持材４や床パネル９を施工した後に、床パネル９を取り外して排水管６を排水管支持具１に支持させることができるので、床を施工しながら排水管６を施工する必要がなく、作業性を向上させることができる。つまり、床支持材４や床パネル９を施工する工程と排水管６を施工する工程とを分離することができ、各工程を実施する作業者毎に作業を行うことができる。また、排水管６のメンテナンス性を向上させることもできる。
【００１３】
パネル支持部４０は、図４（ａ）に示すように、床パネル９の隣り合う２辺に沿って延びるように配される桟状支持部４１，４１を備え、平面視して略Ｌ字状とされている。このパネル支持部４０は、木質系材料から形成されたものでもよい。支柱部４７は、このように略Ｌ字状とされたパネル支持部４０の角部の裏面側から下方側に向けて延びるように設けられている。この支柱部４７は、金属製の柱状部の下端部にゴムや樹脂等からなる接地部を設けた構成とされたものでもよい。
桟状支持部４１，４１は、比較的に扁平な略角柱状とされ、床パネル９の１辺に応じた長さ寸法とされている。これら桟状支持部４１，４１の上面に床パネル９の端部が着脱自在に載置される。本実施形態では、略正方形状とされた床パネル９に対応させて桟状支持部４１，４１の長さ寸法を互いに同寸法としているが、このような態様に限られない。
【００１４】
また、本実施形態では、詳細な図示は省略しているが、パネル支持部４０の角部に、他のパネル支持部４０，４０の桟状支持部４１，４１の先端部を接合して床パネル９の四周を囲む枠状部を形成する構成としている（図４（ｂ）参照）。また、図例では、壁際に配されるパネル支持部４０の桟状支持部４１，４１の先端部が接合される壁際パネル支持部５を設けた構成としている（図３（ａ）参照）。図例では、互いに交差し隣り合う壁面に沿うように略Ｌ字状に壁際パネル支持部５を設けた例を示している。この壁際パネル支持部５は、スラブ２上に適宜の支柱部を介して配され、略角柱状とされている。この壁際パネル支持部５は、壁際に配される床パネル９の四周を囲む枠状部の一部を構成する。つまり、この壁際パネル支持部５の上面に壁際の床パネル９の端部が着脱自在に載置される。
【００１５】
また、パネル支持部４０の上面側には、図４（ａ）に示すように、桟状支持部４１，４１の幅方向両側に、床パネル９の端部を受け入れる凹段部４５，４６が形成されるように突部４４が設けられている。この突部４４の上下方向に沿う突出寸法は、床パネル９の厚さ寸法と同寸法とされている。つまり、図３（ｂ）及び図４（ｂ）に示すように、隣り合う床パネル９，９の間には、突部４４が配される構成とされ、この突部４４も床下地を構成する。また、この突部４４は、桟状支持部４１，４１とは別体とされた帯板状とされ、桟状支持部４１，４１の上面にねじや釘等の止具や、接着剤等によって固定されている。また、突部４４は、桟状支持部４１，４１の先端部よりも先側に延びる延出部を備え、この延出部が隣り合うパネル支持部４０の角部に接合される。
なお、床パネル９を着脱自在に支持する床支持材４としては、上記のような構成とされたものに限られない。例えば、平面視して略Ｌ字状に桟状支持部４１を設けたものに限られず、平面視して略方形枠状に桟状支持部４１を設けたものや、平面視して略Ｕ字状（略コ字状）に桟状支持部４１を設けたもの等でもよく、その他、種々の変形が可能である。
【００１６】
排水管支持具１は、図１に示すように、取付部１０から下方側に向けて延びる吊下部２１と、この吊下部２１の下端部から吊下部２１の延びる方向（上下方向）に対して略直交する方向（略水平方向）に突出し、排水管６を支持する支持部３０と、を備えている。このような構成とすれば、吊下部２１の下方側に更に支持部３０を連ならせたものと比べて、排水管６の上流側部位６ａ（図６等参照）を床下空間３の上方側部位に位置させることができ、排水管６の高さ位置の調整可能寸法を効率的に大きくすることができる。換言すれば、床下空間３を効率的に利用して水勾配を設けることができるので、床下空間３を効率的に小さくすることも可能となる。
【００１７】
取付部１０は、図１及び図２（ｂ）、（ｃ）に示すように、パネル支持部４０を表裏両側から挟むように配される一対の挟持片１１，１２と、これら一対の挟持片１１，１２を連結する連結片１３と、を備えている。このような構成とすれば、パネル支持部４０に対して取付部１０を引っ掛けるようにして保持させることができ、排水管支持具１を容易に設置することができる。本実施形態では、吊下部２１及び支持部３０を有した支持具本体２０を、取付部１０に対して着脱自在に取り付けられる構成としている。このような構成とすれば、取付部１０をパネル支持部４０に対して予め取り付けておき、排水管６を支持部３０に支持させた状態で吊下部２１を取付部１０に対して着脱させることができ、排水管６の着脱作業が容易となる。また、本実施形態では、取付部１０に、一対の挟持片１１，１２のうちの下方側に配される下側挟持片１２の下方側において略水平方向に向けて開口する差込凹所１６を設け、吊下部２１の上端部に差込凹所１６に差し入れられる差込片部２２を設けた構成としている。このような構成とすれば、パネル支持部４０に取り付けられた取付部１０に対して吊下部２１を引っ掛けるようにして保持させることができる。
【００１８】
取付部１０の一対の挟持片１１，１２は、上下方向に厚さ方向を沿わせて配される薄平板状とされている。これら一対の挟持片１１，１２は、上下に間隔を空けて互いに平行状に設けられている。
差込凹所１６は、下側挟持片１２によって上方側が区画されている。また、差込凹所１６は、下側挟持片１２から下方側に間隔を空けて配され、下側挟持片に対して平行状に設けられた保持片１４によって下方側が区画されている。本実施形態では、差込凹所１６は、連結片１３によって区画された水平方向一方側を除く水平方向三方側が開口した構成とされている。
保持片１４は、上下方向に厚さ方向を沿わせて配される薄平板状とされている。この保持片１４には、吊下部２１の上端部２３を受け入れる切欠状の受入凹所１５が設けられている。受入凹所１５は、保持片１４を厚さ方向に貫通し、取付部１０が取り付けられる桟状支持部４１の長手方向（取付部１０の幅方向）に沿う方向の一方側に向けて開口している。
【００１９】
また、保持片１４は、連結片１３の下端部に連なるように設けられている。取付部１０は、一対の挟持片１１，１２のうちの上方側に配される上側挟持片１１と連結片１３と保持片１４とによって、取付部１０の幅方向に見て、略Ｕ字状（略コ字状）とされている。下側挟持片１２は、上側挟持片１１と保持片１４との間において、連結片１３の厚さ方向一方側から延出するように設けられている。図例では、下側挟持片１２の延出方向基端部に、連結片１３の厚さ方向一方面に重ね合わせられて接合された接合片部を設けた例を示している。この接合片部は、連結片１３に対してねじ等の止具や溶接等によって接合されたものでもよい。
連結片１３は、水平方向（一対の挟持片１１，１２及び保持片１４の延出方向）に厚さ方向を沿わせて配される薄平板状とされている。
【００２０】
本実施形態では、この連結片１３は、パネル支持部４０の側面を構成する桟状支持部４１の凹底部４３ａに当接または近接される構造とされている。なお、取付部１０は、桟状支持部４１に対して引っ掛けるのみで取り付けられるものとしてもよいが、連結片１３等に設けられた挿通孔を介してねじ等の止具を桟状支持部４１に止着して固定されるものでもよい。また、取付部１０としては、上記のような構成に限られず、その他、種々の変形が可能である。
【００２１】
また、本実施形態では、図１に示すように、上記したパネル支持部４０の表裏両側に、取付部１０の一対の挟持片１１，１２のそれぞれを受け入れる切欠状の凹所４２，４３を設けた構成としている（図４（ａ）も参照）。このような構成とすれば、取付部１０の一対の挟持片１１，１２のそれぞれをパネル支持部４０の表裏両側の凹所４２，４３に差し入れることができる。これにより、排水管６の長手方向に沿って等間隔を空けて複数の排水管支持具１を配置する場合に、取付部１０を適切な位置に容易に配置することができる。
表裏両側の凹所４２，４３は、各パネル支持部４０の桟状支持部４１に長手方向で互いに同位置となるように設けられている。なお、表裏両側の凹所４２，４３を、図例のように、各パネル支持部４０の桟状支持部４１に一箇所のみ設けた態様に代えて、桟状支持部４１に長手方向に等間隔を空けて複数箇所に設けた態様としてもよい。
上側挟持片１１を受け入れる表面側凹所４２は、パネル支持部４０の桟状支持部４１の上面側において上方側及び幅方向一方側に向けて開口するように設けられている。この表面側凹所４２の上下方向に沿う深さ寸法は、上側挟持片１１の受け入れが可能なように適宜の寸法とされている。
【００２２】
また、表面側凹所４２の桟状支持部４１長手方向に沿う寸法は、上側挟持片１１の桟状支持部４１長手方向（取付部１０幅方向）に沿う寸法に応じた寸法とされている。この表面側凹所４２の桟状支持部４１長手方向に沿う寸法は、上側挟持片１１を桟状支持部４１長手方向に沿って位置決め可能なように適宜の寸法としてもよい。
また、図例では、桟状支持部４１の幅方向一方側に向けて開口する表面側凹所４２の幅方向他方側部位を、帯板状とされた突部４４によって覆った例を示しているが、このような態様に限られない。
下側挟持片１２を受け入れる裏面側凹所４３は、パネル支持部４０の桟状支持部４１の下面側において下方側及び幅方向一方側に向けて開口するように設けられている。この裏面側凹所４３の上下方向に沿う深さ寸法は、下側挟持片１２の受け入れが可能なように適宜の寸法とされている。本実施形態では、この裏面側凹所４３の上下方向に沿う深さ寸法を、下側挟持片１２に加えて保持片１４の受け入れが可能な寸法としている。
【００２３】
また、裏面側凹所４２の桟状支持部４１長手方向に沿う寸法は、上記のように裏面側凹所４３に受け入れられた保持片１４によって区画される差込凹所１６に差込片部２２の差込が可能なように適宜の寸法とされている（図５（ａ）、（ｂ）も参照）。つまり、裏面側凹所４３の桟状支持部４１長手方向に沿う寸法は、下側挟持片１２及び保持片１４の同方向に沿う寸法に、差込片部２２の同方向に沿う寸法を足し合わせた寸法に応じた寸法とされている。なお、このような態様に代えて、差込凹所１６が桟状支持部４１の下面側において露出するように取付部１０が桟状支持部４１に取り付けられる構成としてもよい。この場合は、裏面側凹所４３の桟状支持部４１長手方向に沿う寸法を、少なくとも下側挟持片１２の受け入れが可能な寸法とすればよい。
【００２４】
また、本実施形態では、桟状支持部４１の側面側に、下側挟持片１２の基端側に設けられた接合片部を受け入れる側面側凹所を裏面側凹所４３に連なるように設けた構成としている。なお、このような側面側凹所を設けていない構成としてもよい。また、一対の挟持片１１，１２のそれぞれを受け入れる切欠状の凹所４２，４３としては、上記したような構成に限られず、その他、種々の変形が可能である。また、表面側凹所４２のみを設けた構成等としてもよい。
【００２５】
吊下部２１の差込片部２２は、図１及び図２（ａ）に示すように、上下方向に厚さ方向を沿わせて配される薄平板状とされている。この差込片部２２の下面側に、上記した保持片１４の受入凹所１５に受け入れられる柱状（図例では、円柱状）の上端部２３が設けられている。
また、本実施形態では、吊下部２１を、取付部１０に対する支持部３０の高さ位置の調整が可能な構造としている。このような構成とすれば、排水管６の長手方向の各部をそれぞれに支持する支持部３０の高さ位置を調整することで、水勾配を設けることができる。これにより、異なる長さの吊下部を有した複数種の排水管支持具が必要となるものと比べて、部品管理が容易となり、取扱性を向上させることができる。
【００２６】
また、本実施形態では、吊下部２１は、取付部１０側に設けられた吊下本体２４と支持部３０側に設けられた可変体２６とを備え、可変体２６が吊下本体２４に対して段毎の調整寸法が均等とされた複数段の位置において保持される構成とされている。このような構成とすれば、排水管６の長手方向に沿って等間隔を空けて複数の排水管支持具１を配置し、これら排水管支持具１の吊下本体２４に対する可変体２６の高さ位置を上流側から下流側に向けて段階的に下げた位置とすることで、容易に水勾配を設けることができる。これにより、ねじ作用等によって言わば無段階的に高さ調整可能とされたものと比べて、手作業による微調整が不要となり、作業者毎の施工ばらつきを抑制することができる。
【００２７】
また、本実施形態では、吊下本体２４及び可変体２６のうちの一方を構成する筒状体に、側面において開口する複数の係止孔２５を上下方向に等間隔を空けて設け、他方を構成する棒状体に、係止孔２５に対して脱離可能に係止する係止突起２８を設けた構成としている。このような構成とすれば、係止孔２５の何れかに係止突起２８を係止させることで、吊下本体２４に対する可変体２６の高さ位置を変更することができる。また、互いの挿通孔を重ね合わせてボルト締結する必要があるようなものと比べて、高さ位置の調整を容易に行うことができる。本実施形態では、吊下本体２４を筒状体とし、可変体２６を、この吊下本体２４内に差し入れられる棒状体としている。なお、棒状体には、本実施形態のように筒状とされたものも含む。
【００２８】
吊下本体２４は、上下方向に軸方向（長手方向）を沿わせて配される筒状（図例では、円筒状）とされている。図例では、この吊下本体２４を、上下両側に開口した筒状体とした例を示している。この吊下本体２４は、吊下本体２４の上端側の開口を介して差し入れられた柱状の上端部２３にボルト等の締結具によって固定されている。なお、このような態様に代えて、吊下本体２４を、差込片部２２に一体的に設けた構成としてもよい。
係止孔２５は、吊下本体２４の側周部を貫通して設けられている。本実施形態では、吊下本体２４に、長手方向に等間隔を空けて複数（図例では、５つ）の係止孔２５を設けた構成としている。これら係止孔２５を設けるピッチ（上記した段毎の調整寸法）は、５ｍｍｍ〜２０ｍｍ程度としてもよい。
また、吊下本体２４の側周部の両側において開口するように、係止孔２５，２５を設けた構成としている。これら側周部の両側の係止孔２５，２５は、径方向に見て、吊下本体２４の軸心に重なり合うように、かつ互いに同高さに位置するように設けられている。
【００２９】
可変体２６は、図１（ａ）に示すように、吊下本体２４の下端側の開口を介して吊下本体２４内に上端側部位が差し入れられている。
係止突起２８は、可変体２６の上端部に設けられている。本実施形態では、上記のように側周部の両側に設けられた係止孔２５，２５のそれぞれに係止される係止突起２８，２８を設けた構成としている。また、これら係止突起２８，２８を、可変体２６の径方向に出没自在とし、突出方向に向けて付勢部材２９によって付勢された構成としている。本実施形態では、可変体２６を、筒状（図例では、円筒状）とし、この可変体２６の側周部の上端部を貫通させて係止突起２８，２８が挿通される突起挿通孔２７，２７を設けた構成としている。また、突起挿通孔２７，２７に挿通された係止突起２８，２８の基端部を連結する板ばね状の付勢部材２９を可変体２６内に設けた構成としている。なお、付勢部材２９としては、板ばね状とされたものに限られず、圧縮コイルばねや、その他、種々の構成とされたものでもよい。
【００３０】
上記構成とされた吊下部２１においては、吊下本体２４のいずれかの高さの係止孔２５，２５に可変体２６の係止突起２８，２８が挿入されることで、可変体２６が吊下本体２４に対して保持される。また、係止突起２８，２８を可変体２６の軸心側に向けて押し込み、係止孔２５，２５に対する係止を解除、つまり、脱離させれば、吊下本体２４に対して可変体２６の高さ位置の変更が可能となる。また、排水管６の長手方向に等間隔を空けて配置される各排水管支持具１の可変体２６の高さ位置を、上流側から下流側に向けて１段づつ下げた位置とすることで、排水管６に容易に勾配を設けることができる。
【００３１】
なお、本実施形態では、吊下本体２４内に可変体２６が差し入れられる構成とした例を示しているが、逆としてもよい。つまり、可変体２６を一方としての筒状体とし、吊下本体２４を、この可変体２６内に差し入れられる他方としての棒状体としてもよい。また、取付部１０に対する支持部３０の高さ位置を調整可能とする構成としては、上記したような構成に限られない。例えば、吊下部２１に、上下方向に間隔を空けて複数のボルト挿通孔を設け、これら複数のボルト挿通孔のうちのいずれかと支持部３０に設けられたボルト挿通孔とを重ね合わせた状態でボルトを挿通させて高さ位置の調整を可能とした構成としてもよい。また、吊下部２１に、上下方向に延びる雄ねじ部と、この雄ねじ部がねじ合わされる雌ねじ部と、を設けた構成としてもよく、その他、種々の変形が可能である。
【００３２】
支持部３０は、吊下部２１（可変体２６）の下端部から略水平方向に突出する支持片部３１と、排水管６が挿通される環状とされたリング部３２と、を備えている。
リング部３２は、軸心が支持片部３１の高さに一致する位置となるように設けられている。このリング部３２は、吊下部２１の下端部から突出する支持片部３１によって片持ち状に支持されている。また、本実施形態では、リング部３２は、円筒状とされた排水管６に対応させて、円環状とされている。また、リング部３２は、支持片部３１の先端部に着脱可能に固定されている。本実施形態では、リング部３２を、上下に分割されて半割状とされた半割部３３，３３を備えた構成としている。また、これら上下の半割部３３，３３の周方向一端部同士を、支持片部３１の先端部にボルト等の止具３５によって着脱可能に固定した構成としている。また、これら上下の半割部３３，３３の周方向他端部同士を、排水管６の軸方向に軸方向を沿わせた回転軸３４回りに回転自在に連結した構成としている。図例では、回転軸３４を、ねじとした例を示している。
【００３３】
上記のような構成とされた支持部３０においては、止具３５を脱離させ、一方の半割部３３を他方の半割部３３に対して開放させるように、回転軸３４回りに回転させれば、排水管６の受け入れが容易に可能となる。なお、排水管６を支持する支持部３０としては、このような構成に限られず、その他、種々の変形が可能である。また、排水管支持具１を構成する取付部１０及び支持具本体２０は、適宜の金属系材料から形成されたものでもよい。
【００３４】
次に、上記構成とされた排水管支持具１を用いた排水管支持構造の施工方法の一例について説明する。
まず、図３（ａ）に示すように、互いに交差し隣り合う壁面に沿わせて略Ｌ字状に壁際パネル支持部５を設置する。また、排水管６をスラブ２上に仮置きする。図例では、平面視して略Ｌ字状となるように排水管６を配置した例を示している。
そして、上記したように、床支持材４のパネル支持部４０を壁際パネル支持部５の入隅側から順に施工し、図３（ｂ）に示すように、床パネル９を設置する。なお、床パネル９は、端部にねじ等の止具を止着してパネル支持部４０の桟状支持部４１，４１に固定するようにしてもよい。
【００３５】
そして、図４（ａ）、（ｂ）に示すように、排水管６の上方側に配された床パネル９を取り外し、取付部１０をパネル支持部４０の桟状支持部４１に取り付ける。つまり、取付部１０の上側挟持片１１及び下側挟持片１２を、桟状支持部４１の表面側凹所４２及び裏面側凹所４３にそれぞれ差し入れる。この際、排水管６の長手方向に略等間隔を空けて複数の取付部１０が配されるように、適宜のパネル支持部４０の桟状支持部４１に取付部１０を取り付けるようにしてもよい。
また、取付部１０に応じた位置となるように、支持具本体２０の支持部３０を排水管６に取り付ける。この際、図６に示すように、排水管６に適度な水勾配が形成されるように、つまり、排水管６が上流側部位６ａから下流側部位６ｂに向かうに従い下り坂状に傾斜するように、排水管６の各部に取り付けられる吊下部２１を調整しておくようにしてもよい。
【００３６】
そして、図５（ａ）、（ｂ）に示すように、排水管６を持ち上げ、吊下部２１の差込片部２２を、取付部１０の差込凹所１６に差し込み、排水管６を吊下支持させるようにしてもよい。そして、図３（ｂ）に示すように、取り外した床パネル９を設置し、適宜、床仕上材を施工するようにしてもよい。
なお、上記施工手順は、一例に過ぎず、各部材の機能を阻害しない限りにおいて別手順で行うようにしてもよく、その他、種々の変形が可能である。
【００３７】
次に、本発明に係る他の実施形態について、図面を参照しながら説明する。
なお、以下の実施形態では、第１実施形態との相違点について主に説明し、同様の構成については、同一の符号を付し、その説明を省略または簡略に説明する。
【００３８】
図７は、第２実施形態に係る排水管支持具１Ａの一例を模式的に示す図である。
本実施形態では、支持部３０Ａのリング部３２Ａを、片持ち状ではなく両側から支持する構成としている。
この排水管支持具１Ａは、リング部３２Ａの周方向両側にそれぞれ配設される一対の吊下部２１，２１を備えている。これら一対の吊下部２１，２１は、上記同様の構成とされている。また、これら一対の吊下部２１，２１の上端部は、上下方向に厚さ方向を沿わせて配される薄平板状の連結部２３Ｂによって連結され、この連結部２３Ｂの長手方向中央部に、上方側に向けて突出する柱状部２３Ａを介して上記同様な差込片部２２が設けられている。
【００３９】
また、これら一対の吊下部２１，２１（可変体２６，２６）の下端部から互いに向き合う方向に向けて突出するように支持片部３１，３１が設けられ、これら支持片部３１，３１にリング部３２Ａの周方向両側の各端部が着脱可能に固定されている。
リング部３２Ａは、上記と概ね同様、上下の半割部３３Ａ，３３Ａを備えている。本実施形態では、これら上下の半割部３３Ａ，３３Ａの周方向両端部を、各支持片部３１，３１の先端部に止具３５，３５によって着脱可能に固定した構成としている。
【００４０】
上記構成とされた本実施形態に係る排水管支持具１Ａの支持具本体２０Ａは、図示を省略しているが、上記第１実施形態と同様、パネル支持部４０に取り付けられた取付部１０に対して着脱自在に取り付けられる。
また、上記構成とされた本実施形態に係る排水管支持具１Ａにおいても上記第１実施形態と略同様の効果を奏する。また、本実施形態では、支持部３０Ａのリング部３２Ａを両側から支持する構成としているので、排水管６を安定的に支持することができる。
【００４１】
なお、上記各実施形態では、支持具本体２０，２０Ａに差込片部２２を設け、この差込片部２２が差し込まれる差込凹所１６を取付部１０に設けた例を示しているが、このような態様に限られない。例えば、支持具本体２０，２０Ａを取付部１０に対してねじ等によって着脱自在とした態様等としてもよい。また、支持具本体２０，２０Ａを取付部１０に対して着脱自在とした態様に代えて、支持具本体２０，２０Ａ（吊下部２１）と取付部１０とが一体的に形成されたものとしてもよい。また、上記各実施形態では、吊下部２１を、取付部１０に対する支持部３０，３０Ａの高さ位置の調整が可能な構造とした例を示しているが、調整不能とされたものとしてもよい。この場合は、吊下部２１の長さの異なる複数種の排水管支持具１，１Ａによって排水管６を支持する構成としてもよい。また、上記各実施形態では、取付部１０を略Ｕ字状とした例を示しているが、このような態様に代えて、略Ｌ字状または略平板状とされたものでもよい。
【００４２】
また、上記各実施形態では、排水管支持具１，１Ａを、床パネル９の少なくとも２辺に沿って配設されて床パネル９を着脱自在に支持するパネル支持部４０を備えた床支持材４に取り付けた例を示しているが、このような態様に限られない。例えば、束や大引、大引上に設けられた根太、下地パネルを支持する桟、下地パネル等の種々の床下地に対して着脱不能に床パネル９を設けた構成としてもよい。この場合は、床パネル９を施工する前に排水管支持具１，１Ａに排水管６を支持させておくようにしてもよい。
【符号の説明】
【００４３】
１，１Ａ      排水管支持具
１０          取付部
１１          上側挟持片（挟持片）
１２          下側挟持片（挟持片）
１３          連結片
１６          差込凹所
２１，２１Ａ  吊下部
２２          差込片部
２４          吊下本体
２５          係止孔
２６          可変体
２８          係止突起
３０，３０Ａ  支持部
３            床下空間
４            床支持材（床下地）
６            排水管
【図１】
2019065514.tif 000003
【図２】
2019065514.tif 000004
【図３】
2019065514.tif 000005
【図４】
2019065514.tif 000006
【図５】
2019065514.tif 000007
【図６】
2019065514.tif 000008
【図７】
2019065514.tif 000009